(57)【要約】  【課題】  親局装置が送信したデータ信号を確実に授受できる子局装置とのみ親局装置がデータ通信を行うことができるＲＦ光伝送装置を提供する。  【解決手段】  本発明のＲＦ光伝送装置によれば、子局装置６０〜６ｎに対し、応答しなければならないデータ信号を親局装置３０が同報通信によって送信した場合、子局装置との間の伝送品質が良好であれば、適切な応答が子局装置から返ってくるが、伝送品質が良好でなければ、適切な応答が返ってこない。そこで、何れかの子局装置から適切な応答が返ってこない場合には、前述の同報通信による送信を予め設定された回数の範囲内で繰り返す。それでも適切な応答を返さない子局装置がある場合は、その子局装置は現制御サイクルにおけるデータ通信の対象からは外し、適切な応答を返した子局装置とのみデータ通信を行う。  【選択図】  図１
2006101065.tif 000002
【特許請求の範囲】
【請求項１】
親局装置と複数の子局装置との間でＲＦ信号に重畳させたデータ信号を光ケーブルを介して授受するＲＦ光伝送装置であって、
親局装置から送信したデータに対する応答がデータ通信の対象となる全ての子局から受信できた場合には、次のデータ転送に移行し、
何れかの子局装置からの応答が受信できなかった場合には、予め設定された回数の範囲内で、全ての子局装置からの応答を受信するまで、前記送信したデータを各子局装置に繰り返し送信し、
繰り返し送信が予め設定された回数に到達しても何れかの子局装置から適切な応答を受信できなかった場合には、応答を受信した子局装置のみをデータ通信の対象として、次のデータ信号の転送に移行するＲＦ光伝送装置。
【発明の詳細な説明】
【技術分野】
【０００１】
本発明は、ＲＦ光伝送装置に関し、特に、無線中継システムの親局装置と複数の子局装置との間でデータ信号を光ケーブルを介して授受するＲＦ光伝送装置に関する。
【背景技術】
【０００２】
従来の無線中継システムにおいては、下記の特許文献１にも示されるように、親局装置は、複数の子局装置と光ファイバーで接続され、その光ファイバーを介してデータ信号を授受する。この場合、複数の子局装置に対する親局装置のデータ信号（下り信号）は同報通信により行われ、子局装置から親局装置へのデータ信号（上り通信）については、親局装置がアナログスイッチを制御することで子局装置を任意に選択して行う１対１のデータ通信によって可能となっている。このようなデータ通信を行うために、親局装置と子局装置とは、授受するＲＦ信号にデータ信号を重畳させる必要がある。この場合、データ信号がＲＦ信号に悪影響を与えないようにしなければならないので、一定以上の伝送品質を確保することは容易ではない。データ通信の品質は変調方式によっても影響を受け、ＦＳＫ変調による従来の装置においては周囲の環境によってはＢＥＲが１０−４程度まで劣化する。
【特許文献１】特開２０００−２７８１９６号公報  （第３頁、第１，４図）
【発明の開示】
【発明が解決しようとする課題】
【０００３】
しかしながら、上記の従来技術を用いて、大量のデータ通信、特に制御プログラムのダウンロードを行おうとした場合、下り伝送路では伝送データに誤りが発生する可能性が高い。
データ誤りに対する対策の一つとして、誤り訂正符号の採用が考えられるが、安価なＵＡＲＴ（Universal Asynchronous Receiver Transmitter）のような非同期通信では、実現が困難である。また、他の対策として、データの到達を確認して誤りが発生した場合にデータの再送を行うこともできるが、一部に非常に通信品質の悪い回線が存在する場合に、必ず毎回、再送が発生することとなり、その結果、データの通信時間が増大するという問題がある。
【０００４】
本発明は上述の問題点を解決するためになされたものであり、親局装置が送信したデータ信号を確実に授受できる子局装置とのみ親局装置はデータ通信を行うという無線中継システムのためのＲＦ光伝送装置を提供することを目的とする。
【課題を解決するための手段】
【０００５】
上述した課題を解決するため、本発明は、親局装置と複数の子局装置との間でＲＦ信号に重畳させたデータ信号を光ケーブルを介して授受するＲＦ光伝送装置であって、親局装置から送信したデータに対する応答がデータ通信の対象となる全ての子局から受信できた場合には、次のデータ転送に移行し、何れかの子局装置からの応答が受信できなかった場合には、予め設定された回数の範囲内で、全ての子局装置からの応答を受信するまで、前記送信したデータを各子局装置に繰り返し送信し、繰り返し送信が予め設定された回数に到達しても何れかの子局装置から適切な応答を受信できなかった場合には、応答を受信した子局装置のみをデータ通信の対象として、次のデータ信号の転送に移行する。
【０００６】
このような構成によれば、子局装置が親局装置に応答しなければならないデータ信号を、親局装置が各子局装置に同報通信によって送信した場合、親局装置と子局装置との間の伝送品質が良好であれば、適切な応答が子局装置から親局装置に返ってくる。しかし、子局装置との間の伝送品質が良好でなければ、適切な応答が返ってこない。そこで、何れかの子局装置から適切な応答が返ってこない場合には、前述の同報通信による送信を予め設定された回数の範囲内で繰り返す。それでも適切な応答を返さない子局装置がある場合には、その子局装置は後続のデータ通信の対象からは外し、適切な応答を返した子局装置とのみデータ通信を行う。
【発明の効果】
【０００７】
以上で説明したように、この発明のＲＦ光伝送装置によれば、親局装置が送信したデータ信号が子局で受信したかを確認することにより、受信できない場合に同一データの再送を行うことにより、確実なデータ通信が実現できる。また、予め定めた回数だけ再送してもデータ通信が正常に行われない子局をデータ通信の対象から外すことにより、以降のデータ通信での再送回数を減らして、一部の通信品質の悪い子局を除いたその他すべての子局に対する確実なデータ通信を最短の時間で実施できる。
【発明を実施するための最良の形態】
【０００８】
以下、本発明の実施の形態について図面を参照しつつ説明する。図１は、本発明が適用された無線中継システムであって、データ通信に関わる機能にのみ絞り込んだ機能ブロック図、図２は、図１の無線中継システムの監視制御装置（ＲＭＣ）と、親局装置（ＭＵ）と、子局装置（ＳＵ）との間で行われるデータ信号の授受に関する動作例を説明するためのシーケンス図、図３ないし図９は、図１の無線中継システムの監視制御装置（ＲＭＣ）と、親局装置（ＭＵ）と、子局装置（ＳＵ）との間で行われるデータ信号に用いられる電文フォーマットを説明するための図である。
【０００９】
図１で示される無線中継システムは、監視制御装置１０と、モデム１１と、電話回線網２０と、親局装置３０と、光ケーブル４０〜４ｎ，５０〜５ｎと、複数の子局装置６０〜６ｎとから構成されている。この場合、説明を容易にするために各子局装置６０〜６ｎは同じように構成されているものとする。親局装置３０は、モデム１１、電話回線網２０、モデム３００（プロトコル内蔵ＤＡＴＡモデム）を介して監視制御装置１０との間のデータ信号の授受を行う。その場合、この例では監視制御装置１０からの要求としては、ダウンロード（以降、ＤＬとも記載する）開始要求、ダウンロード転送要求、ダウンロード終了要求があるものとする。
【００１０】
親局装置３０の制御部３２０は、監視制御装置１０からの要求に対応してＲＡＭ３０２やＲＯＭ３０３を利用し、必要なデータ信号の授受を監視制御装置１０および子局装置６０〜６ｎとの間で行う。親局装置３０から子局装置６０〜６ｎへのデータ信号は、ＦＳＫモデム３０１を経由して下りＲＦ信号に重畳され、電気／光信号変換部３０５（Ｅ／Ｏ変換部３０５）でＥ／Ｏ変換され、光ケーブル４０〜４ｎを経て子局装置６０〜６ｎに送信される。この送信は、この例では同報通信として送信される。子局装置６０〜６ｎから光ケーブル５０〜５ｎを経て親局装置３０に送られてくるＲＦ信号およびデータ信号は、光／電気信号変換部３１０〜３１ｎ（Ｏ／Ｅ変換部３１０〜３１ｎ）によりＯ／Ｅ変換される。ＲＦ信号は、Ｏ／Ｅ変換部３１０〜３１ｎの出力から上りＲＦ信号として抽出される。他方、データ信号は、制御部３２０の制御を受けるアナログスイッチ３２１によって各子局装置からのデータ信号が選択され、ＦＳＫモデム３０１を経由して制御部３２０に与えられる。
【００１１】
子局装置６０〜６ｎに関しては、代表として子局装置６０について説明する。子局装置６０の制御部６２０は、親局装置３０からの要求に対応してＲＡＭ６０２やＲＯＭ６０３を利用し、必要なＲＦ信号およびデータ信号の授受を親局装置３０との間で行う。親局装置３０のＥ／Ｏ変換部３０５から光ケーブル４０を経由して送られてきた光信号（データ信号をＲＦ信号に重畳した光信号）は、Ｏ／Ｅ変換部６１０でＯ／Ｅ変換される。
【００１２】
Ｏ／Ｅ変換部６１０の出力に関し、ＲＦ信号は、Ｏ／Ｅ変換部６１０の出力から下りＲＦ信号として抽出される。他方、データ信号は、ＦＳＫモデム６０１を経由して制御部６２０に与えられる。子局装置６０の制御部６２０は、親局装置３０からの要求に対応してＲＡＭ３０２やＲＯＭ３０３を利用し、必要なＲＦ信号およびデータ信号の授受を親局装置３０との間で行う。親局装置３０に対するデータ信号は、ＦＳＫモデム６０１を経由して上りＲＦ信号に重畳され、電気／光信号変換部６０５（Ｅ／Ｏ変換部６０５）でＥ／Ｏ変換され、光ケーブル５０を経て親局装置３０に送信される。
【００１３】
次に、監視制御装置（ＲＭＣ）１０と、親局装置（ＭＵ）３０と、子局装置（ＳＵ）６０〜６ｎ（なお、必要がない限り子局装置の説明は、子局装置６０についてのみ行う）との間のＲＦ信号に重畳したデータ信号の授受の一例について図２のシーケンス図を参照して説明する。監視制御装置１０と親局装置３０との間で回線接続処理が完了（Ｒ１０）すると、監視制御装置１０から親局装置３０に制御プログラムのダウンロード（ＤＬ）開始要求が出される（Ｒ１１）。この場合、通信に用いられる一般的な電文のフォーマットは、図３に示されるようなものである。図３においては、フレーム構造のバイト位置を“配置”として示してあり、バイト長を“長さ”として示してある。
【００１４】
図３において、ＳＴＸは、電文の始まり（Start of Text）を示す制御コード、ＳＬはＤＡＴＡ部の長さ（Byte  数）、ＴＹＰＥは機種情報（この例ではＡで固定）、ＣＯＮＴは電文の制御コード（何のための電文かを表し、これによりＤＡＴＡ部の解釈が異なる）、ＥＴＸは電文の終わり（End of Text）を示す制御コードを表している。図３の電文フォーマットに基づいて、ダウンロード開始要求が図４に示されるようなフォーマットで監視制御装置１０から親局装置３０に送られてくる。図４において、ＳＬは、１６進数で“００Ｃ”となっているので、ＤＡＴＡ部は１２Byteであることを示し、そのデータ部の内容は図５で示されている。また、図４のＣＯＮＴは、“７０”であって本電文がダウンロード開始要求であることを示している。なお、電文に関する受信判定はＢＣＣ（ブロック・チェック・コード）により、データ転送に関する受信判定はプログラムデータのチェックＳＵＭによる。
【００１５】
親局装置３０は、ステップＲ１１で送られたＤＬ開始要求を全ての子局装置６０〜６ｎに同報で送信する（Ｍ１１）。全ての子局装置６０〜６ｎから適切に応答があった場合には、次のデータ信号の転送に移行するが、全ての子局装置６０〜６ｎから応答がなかった場合（応答ゼロの場合）には、監視制御装置１０に対して失敗応答（不図示）を行う。子局装置６０〜６ｎの何れかから応答がなかった場合には、ステップＭ１１のＤＬ開始要求を同報通信で子局装置６０〜６ｎに繰り返し送信する。全ての子局装置６０〜６ｎから適切に応答を得られなかった場合には、繰り返しが監視制御装置１０から与えられる予め設定された回数（送信限度回数；図５参照）の範囲内で適切に応答した子局装置のみを通信対象（以降、対象子局装置という）とする。なお、図１０に示すように、子局は、親局からの信号が正しく受信できた場合には、Ａｃｋ信号を送信する。尚、Ａｃｋ信号は、同期信号と組み合わせて、繰り返し一定時間送信する。この一定時間は、親局がすべての子局からのＡｃｋ信号を受信できるだけの十分な時間とする。親局は、データ送信後一定時間の後、子局からのＡｃｋ信号の受信を試みる。ここでの一定時間は子局の応答時間により決定する。子局からのＡｃｋ信号の受信は、順次アナログＳＷを切替えることにより、対象となる全ての子局から選択的に受信する。
【００１６】
この局面では、子局装置６０，６ｎは対象子局装置であるものとする。そこで、対象子局装置に対して次のデータ信号の転送に移行する。この場合、適切に応答しなかった子局装置は通信対象から外す。そこで、対象子局装置は、ＲＦ信号の授受や状態監視に関する動作等の一時停止、すなわち、運用停止を行い（Ｓ１１）、Ａｃｋ信号を親局装置３０に返す（Ｍ１２，Ｎ１２）。ＲＦ信号の授受や状態監視に関する動作等の一時停止を行う理由は、ＤＬに資源を集中させるためや、ＤＬのために伝送路の品質を確保するためであるが、その必要がなければ、一時停止無しに後続の動作を行ってもよいことはいうまでもない。
【００１７】
親局装置３０は、上述のような処理を行った上で、Ａｃｋ信号を受け取るＭ１２，Ｎ１２）と、ＤＬ開始ができる旨のＤＬ開始応答（Ｒ１２）を監視制御装置１０に返す。この応答を受けた監視制御装置１０は、ダウンロードに該当している制御プログラムを複数の電文＃１〜＃ｋに分割し、その最初の電文＃１をＤＬ転送要求＃１（Ｒ１３；ＣＯＮＴ＝“７３”（図６））として受け取るように親局装置３０に送信する。この場合のＤＬ転送要求の電文のフォーマットは、図６で示され、そのフォーマットのデータ部の内容は図７で示されている。
【００１８】
親局装置３０は、受け取ったＤＬ転送要求＃１を対象子局装置に送信する（Ｍ１３）。ＤＬ転送要求＃１を受け取った対象子局装置は、Ａｃｋ信号を親局装置３０に返す（Ｍ１４，Ｎ１４）。Ａｃｋ信号を受けた親局装置３０は、ＤＬ転送要求＃１は処理されたので、次のデータ信号を送信するようにＤＬ転送応答＃１を監視制御装置１０に返す（Ｒ１２）。そこで、監視制御装置１０は、上述の場合と同様に後続のＤＬ転送要求に移行する。この移行後のステップＲ１５において、例えば、監視制御装置１０がＤＬ転送要求＃ｉを送信したとすると、これを受けた親局装置３０は、このＤＬ転送要求＃ｉを対象子局装置に送信（Ｍ１５）する。送信後、親局装置３０は、子局装置６ｎを除く対象子局装置から適切なＡｃｋ信号を受けられた（Ｍ１５Ｙ）が、対象子局装置６ｎからは適切なＡｃｋ信号を受けられなかった場合（Ｎ１５）、親局装置３０は、再度ＤＬ転送要求＃ｉを対象子局装置に送信（Ｍ１６）する。この再度の送信に対して、全ての対象子局装置から適切なＡｃｋ信号を受けた（Ｍ１７，Ｎ１７）場合には、ＤＬ転送応答＃ｉを監視制御装置１０に返す（Ｒ１６）。
【００１９】
しかし、ステップＲ１７において、監視制御装置１０がＤＬ転送要求＃ｊを送信したとすると、これを受けた親局装置３０は、このＤＬ転送要求＃ｊを対象子局装置に送信（Ｍ１８）し、子局装置６ｎを除く対象子局装置からは適切なＡｃｋ信号を受けられた（Ｍ１９）が、対象子局装置６ｎからは適切なＡｃｋ信号を受けられなかった場合（Ｎ１８）には、親局装置３０は、再度ＤＬ転送要求＃ｊを対象子局装置に送信（Ｍ２０）する。この再度の送信に対して、子局装置６ｎからは適切なＡｃｋ信号を受けられなかった（Ｎ２０）場合には、子局装置６ｎを対象子局装置から除外し、子局装置６ｎ以外の対象子局装置からのＡｃｋ信号を受けて（Ｍ２１）、ＤＬ転送応答＃ｊを監視制御装置１０に返す（Ｒ１８）。
【００２０】
監視制御装置１０は、分割した電文のうちの最後の電文＃ｋに係わるＤＬ転送要求＃ｋを親局装置３０に送信する（Ｒ１９）。親局装置３０は、このＤＬ転送要求＃ｋを対象子局装置に送信し（Ｍ２３）、対象子局装置からのＡｃｋ信号を受けて（Ｍ２３）、ＤＬ転送応答＃ｋを監視制御装置１０に返す（Ｒ２０）。この場合、子局装置６ｎは、Ａｃｋ信号を返すことができない（Ｎ２２）ことが明らかなので、ステップＮ２０，Ｍ２１において対象子局装置から除外された通りに通信対象にはならない。電文＃ｋの処理が完了すると、監視制御装置１０は、必要なＤＬ転送要求の送信は終了したので、ＤＬ終了要求を親局装置３０に送信する（Ｒ２１）。親局装置３０は、このＤＬ終了要求を対象子局装置に送信し（Ｍ２４）、Ａｃｋ信号を受ける（Ｍ２５）と、ＤＬ終了応答を監視制御装置１０に送信する（Ｒ２２）。また、親局でダウンロードしたバージョンを保持しておけば、子局から収集したバージョン情報と比較してダウンロード失敗を検出することもでき、警報として装置に表示、さらにＲＭＣに通知することも可能である。
【００２１】
上述の場合、対象子局装置は、Ａｃｋ信号を親局装置３０に送信後、上述のように受け取った制御プログラムに関してプログラムコードチェックを行い、チェック済みの制御プログラムを用いてフラッシュＲＯＭに格納されている制御プログラムの更新を行う（Ｓ１９）。更新後、それまで行っていたＤＬ動作をリセットし（Ｓ２０）、通常の動作に戻る。親局装置３０も同様にＤＬ動作をリセットし（Ｍ２６）、通常の動作に戻る。他方、監視制御装置１０は、回線切断処理を行い、親局装置３０と接続されていた回線を切断する（Ｒ２３）。
【００２２】
上述のような制御プログラムのダウンロードに関するデータ通信を完了した後において、親局装置３０が子局装置６０〜６ｎの状態監視を行う際に、子局装置６０〜６ｎが保持する制御プログラムのバージョン情報（図５）を収集するのが好ましい。例えば、収集したバージョン情報からＤＬを失敗した子局装置も明らかになる。また、この収集結果を監視制御装置１０に通知するのも好ましい。
【００２３】
以上のＲＦ光伝送装置において、例えば、一連のデータを親局から子局へ送信する場合に、親局から送信したデータに対するＡｃｋ信号が対象となる全ての子局から受信できた場合には、次なるデータの転送を行い、対象となる全ての子局からＡｃｋ信号が受信できない場合には、再送として再度同一のデータを送信し、特定回数再送しても、全ての子局からＡｃｋ信号が受信できない場合には、Ａｃｋ信号を受信できた子局のみを対象装置として、次なるデータの送信を行い、ダウンロード後に親局は子局の状態を取得するときに併せてバージョン情報も収集するようにしてもよい。
【００２４】
また、一連のデータを親局から子局へ送信する場合に、親局から送信したデータに対するＡｃｋ信号が対象となる全ての子局から受信できた場合には、次なるデータの転送を行い、対象となる全ての子局からＡｃｋ信号が受信できない場合には、再送として再度同一のデータを送信し、特定回数再送しても、全ての子局からＡｃｋ信号が受信できない場合には、Ａｃｋ信号を受信できた子局のみを対象装置として、次なるデータの送信を行い、ダウンロード後、親局は子局の状態を取得するときに、併せてバージョン情報も収集し、監視制御装置に通知するようにしてもよい。
【００２５】
このような構成によっても、親局装置が送信したデータ信号が子局で受信したかを確認することにより、受信できない場合に同一データの再送を行うことにより、確実なデータ通信が実現できる。また、予め定めた回数だけ再送してもデータ通信が正常に行われない子局をデータ通信の対象から外すことにより、以降のデータ通信での再送回数を減らして、一部の通信品質の悪い子局を除いたその他すべての子局に対する確実なデータ通信を最短の時間で実施できる。
【図面の簡単な説明】
【００２６】
【図１】本発明が適用された無線中継システムであって、データ通信に関わる機能にのみ絞り込んだ機能ブロック図である。
【図２】図１の無線中継システムの監視制御装置（ＲＭＣ：ＲＦ光伝送装置）と、親局装置（ＭＵ）と、子局装置（ＳＵ）との間で行われるデータ信号の授受に関する動作例を説明するためのシーケンス図である。
【図３】図１の無線中継システムの監視制御装置（ＲＭＣ）と、親局装置（ＭＵ）と、子局装置（ＳＵ）との間で行われるデータ信号に用いられる電文フォーマットを説明するための図である。
【図４】図３の電文フォーマットに基づく、ダウンロード開始要求に関する電文フォーマットを説明するための図である。
【図５】図４の電文フォーマットのうちのデータ部の内容を説明するための図である。
【図６】図３の電文フォーマットに基づく、ダウンロードデータ転送要求に関する電文フォーマットを説明するための図である。
【図７】図６の電文フォーマットのうちのデータ部の内容を説明するための図である。
【図８】図３の電文フォーマットに基づく、ダウンロード終了送要求に関する電文フォーマットを説明するための図である。
【図９】図８の電文フォーマットのうちのデータ部の内容を説明するための図である。
【図１０】子局が送信するＡＣＫ信号について説明するための図である。
【符号の説明】
【００２７】
１０  監視制御装置、１１，３００  モデム、３０１，６０１  ＦＳＫモデム、２０  電話回線網、３０  親局装置、４０〜４ｎ，５０〜５ｎ  光ケーブル、６０〜６ｎ  子局装置、３０２，６０２  ＲＡＭ、３０３，６０３  ＲＯＭ、３０５，６０５  Ｅ／Ｏ変換部、３１０〜３１ｎ，６１０  Ｏ／Ｅ変換部、３２１  アナログスイッチ。
【図１】
2006101065.tif 000003
【図２】
2006101065.tif 000004
【図３】
2006101065.tif 000005
【図４】
2006101065.tif 000006
【図５】
2006101065.tif 000007
【図６】
2006101065.tif 000008
【図７】
2006101065.tif 000009
【図８】
2006101065.tif 000010
【図９】
2006101065.tif 000011
【図１０】
2006101065.tif 000012